(57)【要約】【課題】径方向寸法を大きくすることなく、操作リングの剛性を高めたレンズ鏡筒を得る。【解決手段】  固定筒１２のズームリング２５と径嵌合するための嵌合部が欠損する位相部に、外装リング１３から光軸方向に受け部１３ａが延伸され、ズームリング２５の内周部２５ａと径嵌合している。これにより、使用者が固定筒１２の欠損部の位相上でズームリング２５を強く握っても、ズームリング２５の内周部２５ａが外装リング１３の受け部１３ａに接触するため、ズームリング２５が大きく変形することがない。  また、固定筒１２に外装リング１３の受け部１３ａの内径部１３ｂと径嵌合するための受け部保持形状１２ｇを有している。このため、ズームリング２５の変形が外装リング１３に及んだ際でも、固定筒１２で支えることができるため、剛性をより高めることができる。【選択図】図５
2011033757.tif 000002
【特許請求の範囲】
【請求項１】
合焦レンズ群保持枠により保持され合焦のために光軸方向に進退する合焦レンズ群と、複数の変倍レンズ群保持枠により保持され変倍のために光軸方向に進退する複数の変倍レンズ群と、前記合焦レンズ群及び変倍レンズ群を収納する固定筒と、前記合焦レンズ群を光軸方向に進退させるために回転操作するフォーカスリングと、該フォーカスリングに固定され前記合焦レンズ群保持枠に回転力を伝達する合焦回転力伝達部材と、前記変倍レンズ群を光軸方向に進退させるために回転操作するズームリングと、複数のカム溝を有し前記ズームリングの回転に伴って光軸を中心に回転し前記変倍レンズ群を光軸方向に進退させるカム筒と、前記ズームリングの回転力を前記カム筒に伝達するズーム回転力伝達部材と、前記固定筒に固定され前記フォーカスリング又はズームリングの撮像面側に配置した外装リングとを有するレンズ鏡筒において、
前記固定筒には前記フォーカスリング又はズームリングを回転可能に保持するために周方向に欠損部を設け、前記固定筒の欠損部に前記外装リングから受け部を光軸方向に延伸し、前記フォーカスリング又は前記ズームリングの内径部を前記受け部により保持することを特徴とするレンズ鏡筒。
【請求項２】
前記受け部は前記フォーカスリング又は前記ズームリングの内径部と径嵌合することを特徴とする請求項１に記載のレンズ鏡筒。
【発明の詳細な説明】
【技術分野】
【０００１】
本発明は、使用者が直接操作する操作部材を備えたレンズ鏡筒に関するものである。
【背景技術】
【０００２】
従来から一眼レフカメラ用の交換レンズには、使用者が手動で被写体に焦点を合わせるためのフォーカスリングが設けられ、ズームレンズの場合には焦点距離を手動で変更するためのズームリング等が設けられている。これらの操作リングはその機能だけでなく、使用者の操作時の操作感が重要視されてきている。オートフォーカス機能でピントを自動で合わせた後でも、操作者の作画意図によりピント位置を変更したり、オートフォーカスが不得意な被写体に対して手動で操作リングによりピント調節をすることがよく行われている。
【０００３】
近年の交換レンズ鏡筒では、鏡筒や外観部品においてもプラスチック化が進み、軽量化及びコストダウンが進められている。プラスチック化された操作リングは、操作リングを使用者が手で握った際に操作リングを潰すような力が作用すると変形量が大きくなる。円筒状の操作リングが、変形により楕円筒形状になった状態で光軸回りの回転操作を受けると、固定筒と楕円に変形した操作リングが部分的に摺動することになる。従って、操作リングの回転動作中に回転トルクむらが発生したり、不要な摺動によるざらつきを感じたりして、手動操作が円滑にできないことが多々ある。また、操作リングの変形により操作リングの内外径部に配置された他の部品と干渉してしまう虞れもある。
【０００４】
特許文献１には、２つの操作リングのうちの一方を固定筒の外周に、他方を固定筒の内周に配置することにより、各操作リングと固定筒との回転摺動面積を大きくとることで、操作リングの剛性が高め、変形を防止する手法が開示されている。
【先行技術文献】
【特許文献】
【０００５】
【特許文献１】特開２００４−８５８３５号公報
【発明の概要】
【発明が解決しようとする課題】
【０００６】
しかしながら、上述の特許文献１に開示された従来技術では、固定筒の内外周にそれぞれの操作リングが配置されるため、レンズ鏡筒の径方向寸法が大きくなるという問題がある。
【０００７】
本発明の目的は、上述の問題点を解消し、径方向寸法を大きくすることなく、操作リングの剛性を高めたレンズ鏡筒を提供することにある。
【課題を解決するための手段】
【０００８】
上記目的を達成するための本発明に係るレンズ鏡筒は、合焦レンズ群保持枠により保持され合焦のために光軸方向に進退する合焦レンズ群と、複数の変倍レンズ群保持枠により保持され変倍のために光軸方向に進退する複数の変倍レンズ群と、前記合焦レンズ群及び変倍レンズ群を収納する固定筒と、前記合焦レンズ群を光軸方向に進退させるために回転操作するフォーカスリングと、該フォーカスリングに固定され前記合焦レンズ群保持枠に回転力を伝達する合焦回転力伝達部材と、前記変倍レンズ群を光軸方向に進退させるために回転操作するズームリングと、複数のカム溝を有し前記ズームリングの回転に伴って光軸を中心に回転し前記変倍レンズ群を光軸方向に進退させるカム筒と、前記ズームリングの回転力を前記カム筒に伝達するズーム回転力伝達部材と、前記固定筒に固定され前記フォーカスリング又はズームリングの撮像面側に配置した外装リングとを有するレンズ鏡筒において、前記固定筒には前記フォーカスリング又はズームリングを回転可能に保持するために周方向に欠損部を設け、前記固定筒の欠損部に前記外装リングから受け部を光軸方向に延伸し、前記フォーカスリング又は前記ズームリングの内径部を前記受け部により保持することを特徴とする。
【発明の効果】
【０００９】
本発明に係るレンズ鏡筒によれば、径方向寸法を大きくすることなく、操作リングの剛性を高めることができる。
【図面の簡単な説明】
【００１０】
【図１】実施例のレンズ鏡筒の断面図である。
【図２】レンズ鏡筒の要部斜視図である。
【図３】レンズ鏡筒の要部斜視図である。
【図４】レンズ鏡筒の要部分解斜視図である。
【図５】レンズ鏡筒の要部断面図である。
【発明を実施するための形態】
【００１１】
本発明を図示の実施例に基づいて詳細に説明する。
図１は実施例の一眼レフレックスカメラ用の交換レンズの内部構造と、変換レンズが取り付けられるカメラ本体の概略を示す断面図である。図２、図３は交換レンズのズームリングを除いた要部斜視図である。図４は交換レンズの要部分解斜視図であり、図５は要部断面図である。
【００１２】
カメラ本体１には交換レンズ２が着脱自在に取り付けられ、カメラ本体１内には撮像素子１ａが設けられている。交換レンズ２は物体側から順に、複数の第１〜第５レンズ群Ｌ１〜Ｌ５を有する５群構成レンズであり、第２レンズ群Ｌ２はフォーカス動作に際し光軸方向に移動する合焦レンズ群である。レンズ群Ｌ３〜Ｌ５はズーム動作に際し光軸方向に移動する変倍レンズ群とされている。ズーム動作時には、第３レンズ群Ｌ３と第５レンズ群Ｌ５とが一体的に移動する。第４レンズ群Ｌ４は物体側から第４ａレンズ群Ｌ４ａ、第４ｂレンズ群Ｌ４ｂの２つの部分群に分けられ、第４ａレンズ群Ｌ４ａは光軸方向への移動とは別に、像振れ補正動作を行うために光軸直交方向にも移動する。
【００１３】
交換レンズ２をカメラ本体１に取り付けるためのマウント１１はバヨネット部を有しており、固定筒１２にビス止め固定されている。外装リング１３はマウント１１と固定筒１２との間に挟み込まれて固定されている。外装リング１３にはスイッチパネル部が一体成型されており、スイッチパネル部に設けられたスイッチを切換えることによって、オートフォーカスや振れ補正などの機能を選択して使用することができるようにされている。
【００１４】
案内筒１４は固定筒１２にビス止めされることで、カメラ本体１に対して固定され、案内筒１４の外周にはバヨネット部によって光軸を中心に回転可能のカム筒１５が嵌合されている。
【００１５】
カム筒１５を回転させると、案内筒１４に設けられた光軸方向の案内溝と、カム筒１５に設けられたカム溝の交点とが移動する。この交点の移動に従って、第３レンズ群Ｌ３を保持する変倍レンズ群保持枠である３群保持枠１６を、ビス止めされたコロを介して光軸方向に移動させることができるようになっている。同様に、第４レンズ群Ｌ４を保持する振れ補正ユニット１７及び直進筒１８を、それぞれにビス止めされたコロを介して光軸方向に移動させる。
【００１６】
３群保持枠１６には、絞り駆動部と絞り羽根部とから構成される電磁絞りユニット１９がビスにより固定されている。また、３群保持枠１６の撮像面側の後端には、第５レンズ群Ｌ５を保持する５群保持枠２０が、３群保持枠１６にビス止めされた５群保持板２１により挟持されている。
【００１７】
振れ補正ユニット１７において、第４ａレンズ群Ｌ４ａが光軸直交方向に駆動可能に保持されており、マグネット及びコイルとから構成される駆動部によって第４ａレンズ群Ｌ４ａを駆動する。また後端には、第４ｂレンズ群Ｌ４ｂを保持する４ｂ群保持枠２２がビス止めされている。
【００１８】
直進筒１８の先端付近には、第１レンズ群Ｌ１を保持する１群保持枠２３がビスにより固定されている。直進筒１８の先端外周にはバヨネット部が、内周にはねじ部がそれぞれ設けられており、それぞれフード、フィルタ等のアクセサリが装着可能とされている。化粧環２４は前面にレンズ名称等の表示が印刷されている。
【００１９】
ズームリング２５はズーム操作時に使用者が回転操作する部材であり、固定筒１２に対して公知のバヨネット構造により回転可能に保持され、ズームリング２５にはズーム連動ビス２６と係合する長孔部が形成されている。ズーム連動ビス２６はカム筒１５にビス止めされたズーム回転力伝達部材であるズームキー２７とねじ結合されているため、ズームリング２５を回転させるとその回転力によりズームキー２７を介して一体的にカム筒１５を周期して回転させることができる。
【００２０】
ズームリング２５の外周にはズームゴム２８が巻き付けられ、弾性部材２９はズームリング２５の内周面に圧縮接触しており、固定筒１２に設けられているズームゴム保持部１２ａ内に収納されている。
【００２１】
フォーカスカム筒３０は案内筒１４に内周され、その内径円筒部にカム溝が設けられ、案内筒１４に設けられたカム溝と、カム筒１５に設けられた案内溝にそれぞれ係合した図示しないコロを介して、ビスにより保持されている。
【００２２】
合焦レンズ群保持枠である２群保持枠３１は合焦レンズ群である第２レンズ群Ｌ２を保持し、外周に設けられたカムフォロア部がフォーカスカム筒３０に設けられたカム溝に係合する。また、カムフォロア部と同位相に設けられた外周嵌合面とフォーカスカム筒３０の内周面が嵌合している。２群保持枠３１から延出したキー部は、固定筒１２にバヨネット構造により回転可能に取り付けられたフォーカスリング３２に取り付けられている合焦回転力伝達部材であるフォーカスキー３３と一体的に回転するように係合している。
【００２３】
これにより、２群保持枠３１はカム筒１５が回転し光軸方向に進退するが、このときの進退量は、案内筒１４のカム溝に係合するフォーカスカム筒３０に固定されたコロの係合点の光軸方向変化量で決まる。なお、このときフォーカスリング３２は停止している。
【００２４】
また、フォーカスリング３２が回転する、つまりカム筒１５が停止すると、第２レンズ群Ｌ２は回転しながらフォーカスカム筒３０のカム溝と係合する２群保持枠３１に設けられたカムフォロア部の係合点の光軸方向変化量に応じて進退する。本実施例の交換レンズ２では、インナフォーカスにおける焦点距離変化に伴う焦点位置ずれを、このように機構的に補償して、第２レンズ群Ｌ２を光軸方向に進退させることになる。
【００２５】
フォーカスブラシ３４はフォーカスキー３３にビスにより固定され、ズームブラシ３５はズームキー２７にビスにより固定されている。図示しないエンコーダパターンを有するエンコーダパターンフレキシブル基板３６は、両面テープで固定筒１２に固定され、フォーカス位置及びズーム位置をフォーカスブラシ３４及びズームブラシ３５でそれぞれ読み取っている。
【００２６】
メイン基板３７は電磁絞りユニット１９、振れ補正ユニット１７等と可撓性フレキシブル基板を介して電気的に接続され、各種の制御を行っている。カメラ本体１との通信及び電源の供給を行うための接点ブロック３８はマウント１１にビス止めされ、メイン基板３７とフレキシブル基板を介して接続されている。裏蓋３９はマウント１１に保護ゴムリング４０を介して弾性結合され、有害光をカットしている。
【００２７】
このように構成された交換レンズ２では、ズームリング２５を回転させると、ズームキー２７を介してカム筒１５が回転し、この機構に従ってレンズ群Ｌ３〜Ｌ５が光軸方向に進退してズーミングが行われる。なお、この際に第３レンズ群Ｌ３と第５レンズ群Ｌ５とは一体的に進退する。
【００２８】
一方、オートフォーカス時には図示しないモータの駆動によりフォーカスリング３２を回転し、マニュアルフォーカス時には手動によりフォーカスリング３２を回転させる。これにより、第２レンズ群Ｌ２が進退しフォーカシングを行うことができる。
【００２９】
固定筒１２はズームリング２５と径嵌合するための嵌合部１２ｂを有し、ズームリング２５の嵌合部２５ｂと嵌合している。また、ズームリング２５を定位置で回転させるためのバヨネット部１２ｃを円周の３個所に有し、ズームリング２５に設けられたバヨネットフランジ面を保持している。更に、固定筒１２のズームゴム保持部１２ａに保持された弾性部材２９は、ズームリング２５の内周部２５ａと圧縮接触している。これにより、ズームリング２５の作動トルクを増加させると共に、作動感触を高めることができる。
【００３０】
フォーカスリング３２も同様に、固定筒１２に設けられたバヨネット爪１２ｄによって定位置で回転可能に保持されている。フォーカスリング３２の端面には、フォーカスキー３３がビスにより固定されている。ここで、フォーカスリング３２を無限方向に回転させると、或る回転位置でフォーカスキー３３の無限側端面３３ａと固定筒１２の無限側端面１２ｅが当接し、フォーカスリング３２の回転が制限される。逆に、フォーカスリング３２を至近方向に回転させると、フォーカスキー３３の至近側端面３３ｂと固定筒１２の至近側端面１２ｆが当接し、フォーカスリング３２の回転が制限される。
【００３１】
ここで、固定筒１２のズームリング２５と径嵌合するための嵌合部１２ｂは、フォーカスリング３２の回転可能な角度分、周方向に欠損している。これは、前述の通りフォーカスキー３３が欠損部に配置されているためである。
【００３２】
しかし、本実施例のレンズ鏡筒では、フォーカスリング３２の回転角が５５°とされているため、固定筒１２の欠損部の角度範囲も５５°以上必要となる。このため、固定筒１２の欠損部上ではズームリング２５を径方向で保持することができないため、使用者がズームリング２５を強く握った際に、ズームリング２５が変形してしまう。
【００３３】
そこで本実施例では、図５に示すように、固定筒１２のズームリング２５と径嵌合するための嵌合部１２ｂが欠損する位相部に、外装リング１３から光軸方向に受け部１３ａが延伸され、ズームリング２５の内周部２５ａと径嵌合している。これにより、使用者が固定筒１２の欠損部の位相上でズームリング２５を強く握っても、ズームリング２５の内周部２５ａが外装リング１３の受け部１３ａに接触するため、ズームリング２５が大きく変形することがない。
【００３４】
また本実施例では、固定筒１２に外装リング１３の受け部１３ａの内径部１３ｂと径嵌合するための受け部保持形状１２ｇを有している。そのため、ズームリング２５の内側への変形が外装リング１３に及んだ際でも、内側から固定筒１２で支えることができるため、剛性をより高めることができる。
【００３５】
ここで、固定筒１２とズームリング２５の径嵌合がた量、つまり固定筒１２の嵌合部１２ｂとズームリング２５の嵌合部２５ｂとのがた量をＡとする。また、ズームリング２５と外装リング１３のがた量、つまりズームリングの内周部２５ａと外装リング１３の受け部１３ａとのがた量をＢとする。そのときのがた量Ａ、Ｂの関係は、Ａ＜Ｂとされている。これは、ズームリング２５を固定筒１２と外装リング１３の２つの部品と径嵌合させているため、固定筒１２と外装リング１３の軸ずれによって、ズームリング２５の摺動性を悪化させないためである。
【００３６】
このように、ズームリング２５と径嵌合する固定筒１２の嵌合部１２ｂに欠損部がある場合でも、ズームリング２５の肉厚増加による交換レンズ２の径方向への大型化することなく、ズームリング２５の剛性を高めることができる。
【００３７】
上述の実施例は、ズームリング２５と固定筒１２と外装リング１３にそれぞれ径嵌合させる場合を挙げたが、ズームリング２５をフォーカスリング３２に置換する構成としてもよい。
【００３８】
また、本発明はこれらの実施例に限定されず、その要旨の範囲内で種々の変形及び変更が可能である。例えば、一眼レフレックスカメラ以外の光学機器に適用することができる。
【符号の説明】
【００３９】
１  カメラ本体
２  交換レンズ
１１  マウント
１２  固定筒
１３  外装リング
１４  案内筒
１５  カム筒
１６  ３群保持枠
２０  ５群保持枠
２３  １群保持枠
２５  ズームリング
２７  ズームキー
３０  フォーカスカム筒
３１  ２群保持枠
３２  フォーカスリング
３３  フォーカスキー
【図１】
2011033757.tif 000003
【図２】
2011033757.tif 000004
【図３】
2011033757.tif 000005
【図４】
2011033757.tif 000006
【図５】
2011033757.tif 000007